【事件の表示】
　上記当事者間の登録第５０２２２１９号商標の商標登録無効審判事件についてされた平成２４年１０月４日付け審決に対し、知的財産高等裁判所において審決の一部取消の判決（平成２４年（行ケ）第１０３９２号平成２５年３月２１日判決言渡）があったので、審決が取り消された部分の指定役務についてさらに審理のうえ、次のとおり審決する。
【結　論】
　登録第５０２２２１９号の指定役務中、第４３類「飲食物の提供」についての登録を無効とする。
　平成２４年１０月４日付け審決のうち、「審判費用は、請求人の負担とする。」との部分を取り消す。 
　審判費用は、３分の１を請求人の負担とし、３分の２を被請求人の負担とする。
【理　由】
第１　本件商標  
　本件登録第５０２２２１９号商標（以下「本件商標」という。）は、別掲のとおり、「ＲＯＳＥＯ’ＮＥＩＬＬＫＥＷＰＩＥ」の欧文字と「ローズオニールキューピー」の片仮名を上下二段に配した構成からなり、平成１７年１０月２５日に登録出願、第４３類「宿泊施設の提供，宿泊施設の提供の契約の媒介又は取次ぎ，飲食物の提供，動物の宿泊施設の提供，保育所における乳幼児の保育，老人の養護，会議室の貸与，展示施設の貸与，家具の貸与，壁掛けの貸与，敷物の貸与，タオルの貸与」を指定役務として、同１８年１２月１４日に登録査定、同１９年２月２日に設定登録されたものである。
　そして、本件審判の請求により、指定役務のうち、「飲食物の提供」以外の指定役務について、その請求は成り立たない旨の審決が同２５年４月４日に一部確定し、その登録が同年７月４日にされたものである。
　 
第２　手続の経緯 
　本件商標について、平成２４年１月３１日付けで、「本件商標の登録を無効とする。」旨の無効審判の請求があったところ、同２４年１０月４日付けで、「本件審判の請求は、成り立たない。」旨の審決（以下「第一審決」という。）がされた。
　この第一審決に対し、請求人は、取り消しを求めて知的財産高等裁判所に出訴し、これが平成２４年（行ケ）第１０３９２号事件として審理された結果、平成２５年３月２１日に「１　特許庁が無効２０１２−８９０００８号事件について平成２４年１０月４日にした審決のうち、指定役務『飲食物の提供』に関する部分を取り消す。２　原告のその余の請求を棄却する。」との判決が言い渡された。 
　その結果、第一審決で商標登録を維持するとされた指定役務のうち、「飲食物の提供」に関する部分については審決が取り消され、それ以外の指定役務に関する部分については上記判決が確定した。 
　
第３　請求人の主張 
　請求人は、「本件商標は、その指定役務中、『飲食物の提供』についての登録を無効とする。審判費用は、被請求人の負担とする。」との審決を求め、その理由を要旨次のように述べ、証拠方法として、甲第１号証ないし甲第１３４号証（枝番号を含む。）を提出した。 
１　請求の理由 
　本件商標は、その指定役務中、「飲食物の提供」について、商標法第４条第１項第１１号及び同項第１５号に違反して登録されたものであるから、同法第４６条第１項の規定により、無効とされるべきである。
２　商標法第４条第１項第１１号について 
（１）請求人の引用する登録商標  
ア　登録第４１５６３１５号商標（以下「引用商標１」という。） 
　　商標の構成：別掲のとおり（立体商標）  
　　登録出願日：平成９年４月１日  
　　設定登録日：平成１０年６月１２日  
　　更新登録日：平成２０年６月２４日  
　　指定役務　：第４２類「宿泊施設の提供，宿泊施設の提供の契約の媒介又は取次ぎ，飲食物の提供，保育所における乳幼児の保育，老人の養護，カーテンの貸与，家具の貸与，壁掛けの貸与，敷物の貸与，会議室の貸与，展示施設の貸与，タオルの貸与」を含む第４２類に属する商標登録原簿に記載のとおりの役務  
イ　登録第４２９３４９３号商標（以下「引用商標２」という。）  
　　商標の構成：別掲のとおり  
　　登録出願日：平成９年１１月２７日  
　　設定登録日：平成１１年７月９日  
　　更新登録日：平成２１年２月１７日  
　　指定役務　：第４２類「宿泊施設の提供，宿泊施設の提供の契約の媒介又は取次ぎ，飲食物の提供，料理情報の提供，家畜の診療，保育所における乳幼児の保育，老人の養護，カーテンの貸与，家具の貸与，壁掛けの貸与，敷物の貸与，会議室の貸与，展示施設の貸与，タオルの貸与」を含む第４２類に属する商標登録原簿に記載のとおりの役務  
ウ　登録第４２９３４９４号商標（以下「引用商標３」という。）  
　　商標の構成：別掲のとおり  
　　登録出願日：平成９年１１月２７日  
　　設定登録日：平成１１年７月９日  
　　更新登録日：平成２１年２月１７日  
　　指定役務　：第４２類「宿泊施設の提供，宿泊施設の提供の契約の媒介又は取次ぎ，飲食物の提供，料理情報の提供，家畜の診療，保育所における乳幼児の保育，老人の養護，カーテンの貸与，家具の貸与，壁掛けの貸与，敷物の貸与，会議室の貸与，展示施設の貸与，タオルの貸与」を含む第４２類に属する商標登録原簿に記載のとおりの役務  
エ　登録第４３６７６５９号商標（以下「引用商標４」という。）  
　　商標の構成：別掲のとおり  
　　登録出願日：平成１１年１月２２日  
　　設定登録日：平成１２年３月１０日  
　　更新登録日：平成２２年１月２６日  
　　指定役務　：第４２類「宿泊施設の提供，宿泊施設の提供の契約の媒介又は取次ぎ，飲食物の提供，料理情報の提供，家畜の診療，保育所における乳幼児の保育，老人の養護，カーテンの貸与，家具の貸与，壁掛けの貸与，敷物の貸与，会議室の貸与，展示施設の貸与，タオルの貸与」を含む第４２類に属する商標登録原簿に記載のとおりの役務  
オ　登録第４４７３１９０号商標（以下「引用商標５」という。）  
　　商標の構成：別掲のとおり  
　　登録出願日：成１２年３月９日  
　　設定登録日：平成１３年５月１１日  
　　更新登録日：平成２３年５月１７日  
　　指定役務　：第４２類「コンピュータ通信ネットワーク・ファクシミリ又は電話を利用した料理情報の提供，その他の料理情報の提供」  
カ　登録第４７７２２３４号商標（以下「引用商標６」という。）  
　　商標の構成：別掲のとおり  
　　登録出願日：平成１５年８月４日  
　　設定登録日：平成１６年５月２１日  
　　指定役務　：第４４類「動物の飼育，動物の治療」を含む、第３５類、第３７類、第４０類、第４４類及び第４５類に属する商標登録原簿に記載のとおりの役務  
キ　登録第４９５０４４０号商標（以下「引用商標７」という。）  
　　商標の構成：別掲のとおり  
　　登録出願日：平成１７年２月１０日  
　　設定登録日：平成１８年５月１２日  
　　指定役務　：第４３類「宿泊施設の提供，宿泊施設の提供の契約の媒介又は取次ぎ，飲食物の提供，料理情報の提供，動物の宿泊施設の提供，保育所における乳幼児の保育，老人又は障害者の介護又は養護，老人・障害者の介護又は養護に関する相談又は指導，老人・障害者の介護に関する情報の提供，会議室の貸与，展示施設の貸与，カーテンの貸与，家具の貸与，壁掛けの貸与，敷物の貸与，タオルの貸与」を含む、第３６類、第４２類及び第４３類に属する商標登録原簿に記載のとおりの役務
（２）本件商標と引用商標１ないし７とが類似する理由  
ア　本件商標の称呼及び観念について  
（ア）本件商標は、「ＲＯＳＥＯ’ＮＥＩＬＬＫＥＷＰＩＥ」の文字と「ローズオニールキューピー」の文字を二段に横書きしてなるものであるから、その構成文字に相応して、「ローズオニールキューピー」の称呼が生じるものである。 
（イ）本件商標中の「ＲＯＳＥＯ’ＮＥＩＬＬ」及び「ローズオニール」は、我が国でも周知になったキューピー人形のもととなったキューピーのイラストを２０世紀初頭に発表した米国の作家の名称である。そして、世界中で、キューピーのイラストを立体化したキューピー人形が製作されて人気を博し、我が国では、１９３０年代ころにセルロイド製のキューピー人形が製造され広く流布した事実がある。当時、複数の企業が「キューピー」及び「キューピー人形」を商標登録した。請求人は、「キューピー」及び「キューピー人形」を商標としてマヨネーズ等の商品に使用し盛大に宣伝広告した結果、これらの商標は全国的に著名となった。その後、請求人は、商号をキューピー株式会社とした。すなわち、本件商標の登録査定時はもとより登録出願時においても、「キューピー」の語は、その人形のキャラクターを指すものとして、「キューピー人形」は、頭頂部が尖った目のパッチリと大きい裸体の幼児の人形として、我が国において広く認識されるに至っている（平成２０年（行ケ）第１０１３９号判決：甲９）。  
　一方、本件商標中の「ＲＯＳＥＯ’ＮＥＩＬＬ」及び「ローズオニール」は、上記のとおり、キューピーのイラストを２０世紀初頭に発表した米国の作家の名称であるが、この名前は、本件商標の指定役務（以下「本件指定役務」という。）との関連において広く知られたものではなく、また、本件指定役務の取引者・需要者の間で、キューピーのイラストの原作者であるということも広く知られていない。  
　そうすると、本件商標の前半部分「ＲＯＳＥＯ’ＮＥＩＬＬ」及び「ローズオニール」と後半部分「ＫＥＷＰＩＥ」及び「キューピー」とでは軽重の差があるといわざるを得ないものであり、かつ、本件商標全体の称呼が１１音と冗長なものであることを考え合わせると、本件商標に接する取引者・需要者は、本件商標中の「ＫＥＷＰＩＥ」及び「キューピー」の部分に注目して取引を行うのが自然である。  
（ウ）さらに、本件指定役務中の「飲食物の提供」は、請求人が著名商標「キューピー」及び「キューピー」人形図形商標の下に販売等を行っている商品と密接な関連を有している。すなわち、「飲食物の提供」の場においては、顧客に加工食品を提供し、また、飲食物を調理する際には調味料を使用することがほとんどであり、さらに、後述のようにレストランのテーブルに調味料が置かれることも多い。  
　請求人は、マヨネーズやドレッシング等の調味料を含む加工食品を製造・販売している会社として広く知られており、その商品のほとんどに引用商標２及び３と同一態様の商標を使用している。なお、引用商標２及び３がマヨネーズ、ドレッシングその他の加工食品の分野、あるいはこれと密接に関連する分野で、請求人を示すものとして広く知られている点は、平成１５年（行ケ）第１０３号の判決（甲１０）においても認定されている。  
　また、食品の製造販売を行っている会社が、レストラン等を経営して飲食物の提供なども同時に行っている例が実際の取引社会には多く見られることは、後述のとおりである。  
　これらの取引の実情を考慮すると、本件商標が「飲食物の提供」に使用された場合には、本件商標中の「ＫＥＷＰＩＥ」及び「キューピー」の部分が要部として機能し、本件商標から「キューピー」の略称及び観念が生じる可能性は一層高いといわざるを得ない。  
イ　引用商標１ないし７の称呼及び観念について  
（ア）引用商標１は、頭頂部が尖り、目がパッチリと大きいやや写実的な裸体の幼児の人形を模した図形からなるものであるから、その構成に相応して、「キューピー」の称呼及び観念が生じる。  
（イ）引用商標２は、「キューピー」の文字を横書きしてなるものであるから、その構成に相応して、「キューピー」の称呼及び観念が生じる。  
（ウ）引用商標３は、頭頂部が尖り、目がパッチリと大きい裸体の幼児の人形を模した図形からなるものであるから、その構成に相応して、「キューピー」の称呼及び観念が生じる。  
（エ）引用商標４は、上段に「キューピー」の文字を横書きし、中段に頭頂部が尖り、目がパッチリと大きい裸体の幼児の人形を模した図形を有し、下段には「ＫＥＷＰＩＥ」の文字を横書きしてなるものであるから、その構成に相応して、「キューピー」の称呼及び観念が生じる。  
（オ）引用商標５は、上部に頭頂部が尖り、目がパッチリと大きい幼児の顔の図形を有し、その下の帯状図形内に、「キューピー」の文字と「とっておきレシピ」の文字を二段に横書きしてなるものであるから、その構成に相応して、「キューピー」の称呼及び観念が生じる。  
（カ）引用商標６及び７は、頭頂部が尖り、目がパッチリと大きい裸体の幼児の人形を模した図形を左右２個配し、それぞれの人形がハート図形を片手で支えている赤色の図形からなるものであるから、その構成に相応して、「キューピー」の称呼及び観念が生じる。  
（キ）以上のように、引用商標１ないし７のいずれからも、「キューピー」の称呼及び観念が生じる。 
（３）まとめ  
　以上のとおり、本件商標からは、「ローズオニールキューピー」のほかに、「キューピー」の称呼が生じ、引用商標１ないし７のいずれからも、「キューピー」の称呼が生じる。また、本件商標からは、「ローズオニール（という作家）、キューピー」の観念のほかに、「キューピー」の観念が生じ、引用商標１ないし７のいずれからも「キューピー」の観念が生じる。  
　してみると、本件商標と引用商標１ないし７は、称呼及び観念を同一とする類似の商標である。  
　さらに、本件商標は、引用商標１ないし７の指定役務と同一又は類似の役務について使用するものである。  
　したがって、本件商標は、商標法第４条第１項第１１号に該当する。  
３　商標法第４条第１項第１５号について  
（１）請求人の引用する登録商標  
ア　登録第５９５６９４号商標（以下「引用商標８」という。）  
　　商標の構成：別掲のとおり  
　　登録出願日：昭和３５年５月３１日  
　　設定登録日：昭和３７年８月２４日  
　　更新登録日：昭和４８年１月１２日、昭和５７年１０月２６日、平成５年１月２８日、平成１４年５月２１日、平成２４年６月２６日  
　　指定商品　：第３０類「調味料，香辛料」（平成１５年７月２３日書換登録）
イ　登録第８３２２８３号商標（以下「引用商標９」という。）  
　　商標の構成：別掲のとおり  
　　登録出願日：昭和４１年８月１１日  
　　設定登録日：昭和４４年９月２４日  
　　更新登録日：昭和５５年６月２７日、平成元年１１月２１日、平成１１年１０月１９日、平成２１年４月２１日  
　　指定商品　：第３０類「調味料，香辛料」（平成２１年６月１７日書換登録）
（２）本件商標と引用商標８及び９との類似について  
　本件商標は、前記２（２）アのとおり、「キューピー」の称呼及び観念を生ずるものである。  
　他方、引用商標８は、頭頂部と思しき部分が尖り、目がパッチリと大きい裸体の幼児の人形（いわゆる「キューピー人形」）を模した図形からなるものであるから、「キューピー」の称呼及び観念を生ずるものである。また、引用商標９は、「キューピー」の文字を横書きしてなるものであるから、「キューピー」の称呼及び観念を生ずるものである。  
　したがって、本件商標と引用商標８及び９とは、「キューピー」の同一の称呼及び観念を有する類似の商標である。  
（３）引用商標８及び９の著名性について  
ア　請求人は、大正８年に設立された会社であり、大正１４年に我が国初の国産マヨネーズの製造を開始し、これに「キューピー」の文字及び「キューピー人形」からなる商標を付して発売してから今日に至るまで、商標の書体、態様に多少の変更を加えつつも、一貫してこの商標を使用し続けてきた（甲１３）。そして、戦後の国民の食生活の変化に伴い、洋食に合うマヨネーズが爆発的に売れるようになったことにより、「キューピー」及び「キューピー人形」の商標は、日本全国に知れ渡るに至ったものであり、請求人は、「キューピー」及び「キューピー人形」の商標を付したマヨネーズが全国的なシェアを持つに至ったことから、昭和３２年に社名を「キューピー株式会社」に変更し、以来、今日までその社名を使用し続けてきた。請求人の多種にわたる商品が全国的規模で売れたことから、本件商標の登録出願前には、「キューピー」といえば、直ちにマヨネーズを始めとする請求人の商品あるいは請求人を指称するほどに広く知られるに至ったものである。請求人の取扱商品は多種にわたり、そのうちの、例えば、ソース類缶詰、マヨネーズ類、液状ドレッシング類、レトルトパスタソース類、レトルトスープ類、ベビーフードの日本国内における請求人の年度別シェア及び順位は、甲第１４号証及び甲第１５号証に示すとおり、いずれも高いものである。また、「キューピー」は、食品関連商品についてのみならず、商品分野を限定しない企業全般を対象とした第三者によるアンケート調査において、第１位（４回）、第２位（１回）、第３位（２回）、第４位（１回）と非常に高い評価結果を得ており（甲１６ないし２３）、このことは、上記事実を裏付けるものでもある。  
イ　食品分野において、引用商標８及び９等の請求人のキューピー関連商標が著名であることに加えて、請求人の一社提供番組である「キユーピー３分クッキング」は、昭和３７年１２月に放送が開始されてから約５０年にわたり日曜日を除くほぼ毎日、日本全国で放送され続けており（日本一の長寿テレビ料理番組としてギネスブックに掲載）、その平均視聴率は、４ないし６％であって、そこでは、引用商標８及び９並びにキューピー人形等が使用されている（甲８６ないし１１１）。そして、同番組は、テレビ番組における料理レシピの提供にとどまらず、紙媒体によるテキストが日本テレビ系列から年１２冊（１冊当たり１８万部）、中部日本放送系列からは年４冊（１冊当たり３万１４００部。いずれも平成２１年度実績）販売されており、ウェブサイトでも多数回の閲覧を受けるなどしている。以上によれば、「キユーピー３分クッキング」が請求人の一社提供番組である飲食物（料理）のレシピに関する情報を提供するテレビ番組として極めて著名であることは、明らかであり、引用商標８及び９等の請求人のキューピー関連商標が飲食物（料理）のレシピに関する情報の提供について著名であることは、明らかである。したがって、引用商標８及び９等の請求人のキューピー関連商標の著名性が、少なくとも本件商標の指定役務である「飲食物の提供」と類似の役務分野に及んでいることは、明らかであって、飲食物（料理）に関連して「キューピー」といえば請求人又は請求人と何らかの関係のある者が想起されることは、極めて明らかである。
ウ　「ＫＥＷＰＩＥ」「キューピー」の文字が飲食店の名前に使用された場合に想起するもの等に関するアンケート調査の結果によれば、「キューピーマヨネーズ、マヨネーズ」との回答が８０％以上もの圧倒的多数を占めており、極めて多数の者がその役務の出所として請求人を想起することが明確に示されている（甲１２７ないし１３０）から、請求人のキューピー関連商標の著名性は、本件商標の指定役務である「飲食物の提供」分野そのものについても強く及んでいることが明白である。食品製造販売業者が飲食店を経営し、特にそのブランド名と同一又は実質的に同一の店舗名で飲食店を経営することや、食品製造販売業者が当該飲食店で提供されるものを食品として販売することは、多数の有名企業を含めて広く一般的に行われており、請求人も、「キユーピー３分クッキング南青山３丁目キッチン」という店舗名のレストランを開業予定である。このような取引の実情に照らすと、本件商標の指定役務である「飲食物の提供」等と、引用商標８及び９が特に著名性を有する加工食品等とが密接な関連を有することは、極めて明白である。さらに、役務「飲食物の提供」に関する商標の使用態様には、飲食店で顧客に展示されるメニューに商標を表示することも含まれると解されるところ、請求人が取り扱っている主たる商品である加工食品には、調理を要せずにそのまま飲食できるものや、調理された飲食物に顧客の好みに応じて味を加えたりする調味料が存在するため、引用商標８及び９や商標「ＫＥＷＰＩＥ（Ｋｅｗｐｉｅ）」が使用された原告の加工食品が、飲食店、学生食堂又は飲食物販売店の飲食コーナーにおいてそのまま提供され、需要者（顧客）の目に触れることも多い。そのため、本件商標の登録が維持されると、本件商標が料理の名前としてメニューに掲載されることも考えられるところ、この場合、需要者は、当該料理が原告の製造販売に係る飲食物であるかのように誤認し、「飲食物の提供」の役務が原告と関連のある者の提供に係るかのような出所の混同を生じるおそれが高い。そして、本件商標の指定役務である「飲食物の提供」等の需要者と、引用商標８及び９が特に著名性を有する加工食品等の取引者・需要者とは、共通することが明らかである。よって、本件商標の指定役務である「飲食物の提供」等と、引用商標８及び９が特に著名性を有する加工食品等とは、密接な関連を有することが明らかであり、本件商標をその指定役務、特に「飲食物の提供」について使用すれば、特に「加工食品等」といった食品・飲食物関連分野において著名性を有する引用商標８及び９等のキューピー関連商標を使用する請求人又は請求人と何らかの関係を有する者の業務に係る役務であるかのように、役務の出所について混同を生ずるおそれがあることは、明らかである。現に、本件商標について行われたアンケート調査の結果によれば、本件商標を特に「飲食物の提供」について使用すれば、本件商標に接する取引者・需要者は、引用商標８及び９からは請求人を想起又は連想し、当該役務の出所について誤認を生ずるおそれがあることが明らかである。
　したがって、「キューピー」は、企業ブランドとしても需要者から極めて高い評価を得ているものであり、食品分野の枠を超えた著名性を獲得している。
エ　引用商標８及び９は、著名商標であるが故に、防護標章の登録が認められている（甲１１、１２、２４、２５）。さらに、引用商標８及びこれと「ＫＥＷＰＩＥ」の文字からなる商標は、「ＦＡＭＯＵＳ　ＴＲＡＤＥＭＡＲＫＳ　ＩＮ　ＪＡＰＡＮ」に日本の著名商標として掲載されている（甲２６、２７）。
（４）本件商標が他人の著名な商標と他の文字を結合した商標であることについて
　特許庁商標課編「商標審査基準」〔改訂第９版〕は、商標法第４条第１項第１５号の適用について、「他人の著名な商標と他の文字又は図形等を結合した商標は、その外観構成がまとまりよく一体に表されているもの又は観念上の繋がりがあるものなどを含め、原則として、商品又は役務の出所の混同を生じるおそれがあるものと推認して、取り扱うものとする。ただし、その他人の著名な部分が既成の語の一部となっているもの、又は、指定商品若しくは指定役務との関係において出所の混同のおそれがないことが明白なものを除く。」としている。
　本件商標は、「キューピー」と他の文字を結合した商標である。また、上述のとおり、引用商標９は、少なくとも調味料等を含む加工食品の分野あるいはこれに密接に関連する分野において著名な商標である（甲１０）。請求人が著名な引用商標９（及び引用商標８）の下で製造・販売を行っている加工食品等と本件指定役務中の「飲食物の提供」とは、その商品の製造・販売者と役務の提供者が同一事業者であることも多く、「飲食」というその用途も一致し、商品の販売場所と役務の提供場所が同一（店舗）であることも多く、さらに需要者も一致する。したがって、著名な引用商標９（及び引用商標８）が使用される商品と本件指定役務とは、非常に密接な関係を有している。そして、著名商標の権利者と経済的・組織的に何らかの関係がある者の業務に係る商品ではないかとの出所の混同（広義の出所の混同）を生じるおそれがある商標の登録を排除する商標法第４条第１項第１５号の趣旨に鑑みれば、出願商標の指定商品・指定役務そのものについての著名性が求められると考えるよりも、これらと密接に関連する商品・役務について著名な他人の商標と他の文字等が結合した商標は、上記審査基準の規定に該当するとして拒絶されると解するべきである。同旨の判例・審決例として、東京高裁平成９年（行ケ）第２７８号及び無効２０００−３５１２０がある（甲２８、２９）。
　ちなみに、本件商標の商標権者は、本件商標と同一文字からなる商標を、第３２類の商品を指定して出願したところ、この商標は、請求人の著名商標「ＫＥＷＰＩＥ」及び「キューピー」の文字を含んでなるから、請求人の業務に係る商品と出所の混同を生ずるおそれがあるとして、商標法第４条第１項第１５号に該当すると認定された事実がある（甲３０）。  
　以上から、本件商標は、「他人の著名な商標と他の文字又は図形等を結合した商標」に該当し、商標法第４条第１項第１５号に該当することは明らかである。  
（５）取引の実情  
ア　飲食物の製造・販売等を行う事業者は、同時に飲食物の提供を行うことが多い実情に鑑みると、加工食品の製造販売で有名な請求人が、同社の食品を利用したレストランを経営していると需要者が考えても全く不思議はない。その一方で、本件商標権者がマヨネーズやドレッシングを特徴とした料理を提供する飲食店を経営し、その飲食物の提供に関して本件商標を使用することも可能である。  
イ　役務「飲食物の提供」に関する商標の使用態様には、飲食店で顧客に展示されるメニューに商標を表示することも含まれると解される（甲４３）ところ、引用商標８及び９等が使用された請求人の業務に係る商品であるベビーフードがレストランのメニューに掲載されている場合において（甲３７ないし４２）、仮に本件商標が料理の名前としてメニューに掲載された場合には、需要者が当該料理が請求人の業務に係る飲食物であるかのように誤認し、請求人と関連のある者（請求人から商品を仕入れた者）の提供に係る飲食物の提供であるかのような出所の混同を生じるおそれが高い。  
ウ　学生食堂や社員食堂等の大人数の顧客に対して飲食物を提供する飲食店等においては、請求人の業務に係る業務用のマヨネーズやドレッシングが引用商標８及び９が表示されたパッケージのまま飲食店の顧客に提供されることが多いという実情がある（甲４４ないし４７）。本件商標がその指定役務中の「飲食物の提供」に使用される場合には、飲食店の看板やメニューに本件商標が表示される可能性があり、その場合には、請求人と関連がある者の業務に係る飲食店であるかのような広義の出所の混同が生じるおそれがある。  
エ　百貨店、スーパーマーケット、コンビニエンスストア等では、飲食物の販売だけではなく、店内で購入した商品を飲食し、また、飲食物の提供を受けるための飲食コーナーが設けられていることも多く見受けられ（甲４８ないし５３）、請求人の著名な引用商標８及び９等が付された加工食品等を販売している上記店内の一角に本件商標の看板を掲げた飲食コーナーが設けられ、本件商標を表示したメニューが展示されることも十分に考えられ、そのような場合にも、請求人と関連がある者の業務に係る飲食コーナーであるかのような広義の出所の混同が生じるおそれがある。  
オ　請求人は、引用商標８及び９が使用された多種多様な業務用の食品等を製造販売しており（甲５４ないし５６）、そのことは、飲食店の関係者に広く知られている。そのような状況において、本件商標を使用した「ローズオニールキューピーレストラン」等ができれば、それを目にした飲食店関係者は、それが請求人又はこれと経済的・組織的に関連する者の経営による飲食店であると誤認するおそれがあることは明らかである。  
（６）まとめ  
　以上によれば、本件商標は、引用商標８及び９等のキューピー関連商標を使用する請求人との関係で、混同を生じるおそれがある商標であることは、極めて明白であり、本件商標の指定役務中「飲食物の提供」について混同を生じるおそれがあることは、明白である。
　したがって、本件商標は、商標法第４条第１項第１５号に該当する。 
 　  
第３　被請求人の答弁
　被請求人は、何ら答弁するところがない。
　
第４　当審の判断  
１　事実認定
（１）請求人の提出した証拠によれば、次の事実を認めることができる。
ア　米国人女流画家ローズ・オニール（Ｒｏｓｅ　Ｏ’Ｎｅｉｌｌ）は、明治４２年（１９０９年）、米国の雑誌「レディース・ホーム・ジャーナル」誌のクリスマス特集号に、自作の詩とともに新しいキャラクターのイラストを発表し、そのキャラクターに「キューピー（ＫＥＷＰＩＥ）」という名を付けた。
　このキャラクターの際立った特徴は、頭髪と思しきものが主として頭頂部のみにあり、しかもその部分が尖っており、目がパッチリと大きく、背中には天使の翼と思しき一対の小さな羽が生えたふくよかな裸体の姿をしていることであった。
　キューピーのキャラクターは、その後、その人形の製造が開始されたこともあり、我が国を含む世界各国で高い人気を博するようになった（甲７８、８０）。
イ　請求人は、大正８年に設立され（当時の商号は、食品工業株式会社）、大正１４年、マヨネーズの製造・販売を開始したが、それ以来現在に至るまで、一貫して前記キューピーの特徴を備えたキャラクターを、マヨネーズを含む請求人の商品の広告等に使用しており、昭和３２年には商号を「キユーピー株式会社」に改めたほか、同様の特徴を備えたキャラクター又は「キューピー」との称呼を生じる商標について複数登録を受けている。中でも、引用商標３（引用商標８）及びこれと「ＫＥＷＰＩＥ」との欧文字からなる商標は、「ＦＡＭＯＵＳ　ＴＲＡＤＥＭＡＲＫ　ＩＮ　ＪＡＰＡＮ」という書籍（平成１０年版及び平成１６年版）に日本の著名商標として掲載されている（甲１ないし１３、２４ないし２７）。
　請求人は、各種のマヨネーズ、香辛料、液状ドレッシング、食酢等を製造・販売しており、本件商標の出願時及び登録査定時以前である平成１６年当時、我が国において、マヨネーズ類の生産について５６．６％（業界１位）、マヨネーズ類の販売について７１．１％（業界１位）、液状ドレッシングの生産について５１．９％（業界１位）、液状ドレッシングの販売について４２．７％（業界１位）、食酢の生産について１２．８％（業界２位）、ソース類缶詰の販売について１９．１％（業界１位）、パスタソース類の販売について２５．０％（業界２位）、スープ類の販売について９．０％（業界３位）、ベビーフードの販売について２３．７％（業界２位）のシェアを有していた（甲１４、１５）。
　また、請求人は、日本経済新聞による各企業の独自性、プレミアム、推奨度等の調査結果である「企業ブランド知覚指数・消費者版ランキング」において、平成１５年には第２位、平成１６年には第４位であったが、平成１７年から平成１９年までは第１位となったほか、日経ＢＰ社による専業主婦ら女性を対象とした「食の安心・安全ブランド」のイメージ調査の結果でも、平成１６年に第１位、平成１７年及び平成１８年に第３位となった（甲１６ないし２３）。
ウ　中部日本放送は、昭和３７年１２月３日、日本テレビは、昭和３８年１月２１日、それぞれ請求人による一社提供番組である「キユーピー３分クッキング」のテレビ放送を開始し、以来、日曜日を除く毎日、現在に至るまで５０年以上にわたって日本一の長寿テレビ料理番組として飲食物の料理方法を紹介しているが、その平成１８年における全国平均視聴率は、中部日本放送系列において４．１％であり、日本テレビ系列において４．８％である。そして、上記テレビ番組においては、放送開始当時から、番組名又は請求人の製造・販売に係る商品を画面で紹介する際に引用商標２（引用商標９）のロゴ及び前記キューピーの特徴を備えたキャラクターの人形（引用商標１）の映像等が放送されているほか、請求人は、自社のウェブページ及び月刊のテキスト「キユーピー３分クッキング」において、上記番組で紹介する料理の料理法を紹介しており、当該ウェブページには多数のアクセスがされている（甲８６ないし１１１）。
　なお、我が国においては、食品製造会社がそのブランド名と同一又は類似する店舗名の飲食店を経営している例が多数見られる（甲３１、甲３２、甲３４ないし３６、１２２）。
エ　我が国には、本件商標の出願時及び登録査定時以前において、請求人以外にも、引越運送業務等を主たる目的とする会社が、指定役務を「貨物自動車による輸送」として、前記の特徴を備えたキューピーのキャラクターを商標として登録して使用していた例が存在する（甲１０）。
　また、被請求人は、訴外会社（ローズオニールキューピー・インターナショナル）の代表取締役であるところ、訴外会社は、本件商標の出願時及び登録査定時以前から、「ローズオニールキューピー」及び「Ｒｏｓｅ　Ｏ’Ｎｅｉｌｌ　Ｋｅｗｐｉｅ」に係る商標権等の権利に基づき我が国等においてライセンスビジネスを展開しており、各種のキューピー人形や前記の特徴を備えたキューピーのキャラクターが記載された各種の生活用品等を製造・販売している。また、被請求人が代表を務める「日本キューピークラブ」は、本件商標の出願時及び登録査定時以前から、会報を発行して、キューピーの創作者であるローズ・オニールの顕彰活動及び訴外会社による上記商品の宣伝広告を行うなどしている（甲７１ないし８４）。
オ　請求人の委託を受けた調査会社が、平成２４年１２月、本件商標について、「この文字が飲食店の名前として使われていた場合、あなたは何を思い浮かべますかどのようなことでもけっこうですので、ご自由にお知らせください。」との質問をしたインターネット（全国の１５歳から５９歳までの男女１０００名が対象）又は訪問面接（首都圏の１５歳から５９歳までの男女６３０名）によるアンケート調査を行ったところ、その回答結果は、「マヨネーズ、キユーピーマヨネーズ」が３０．６％（インターネット）又は２４．０％（訪問面接）であり、「それでは、以下の文字（本件商標）が飲食店の名前として使われていた場合、あなたは経営している会社としてどこを思い浮かべますか。ご自由にお知らせください。」との質問に対する回答結果は、「キューピー」が４５．７％（インターネット）又は５３．７％（訪問面接）、「キユーピーマヨネーズ・マヨネーズ」が１４．７％（インターネット）又は９．０％（訪問面接）、「キユーピー株式会社」が３．５％（インターネット）又は２．５％（訪問面接）であり、「『前の質問で、あなたがお答えになった会社』が、扱っている主な商品、または、行っている飲食店以外の業務・サービスとして何を思い浮かべますか。ご自由にお知らせください。」との質問に対する回答結果は、「マヨネーズ」が３７．０％（インターネット）又は４５．７％（訪問面接）、「ドレッシング」が１４．４％（インターネット）又は２０．６％（訪問面接）、「調味料、香辛料」が５．６％（インターネット）又は５．９％（訪問面接）であったが、前の問において「キューピー」と回答した者による回答結果は、「マヨネーズ」が５６．６％（インターネット）又は６６．９％（訪問面接）、「ドレッシング」が２０．４％（インターネット）又は２９．３％（訪問面接）、「調味料、香辛料」が７．１％（インターネット及び訪問面接）であった（甲１２７ないし１３０）。
（２）以上のとおり、キューピーのキャラクターは、その創作後から高い人気を博しており、請求人及び被請求人を含む複数の企業が広告や商品販売等に使用し続けるなどしてきたため、本件商標の出願時及び登録査定時、我が国において周知となっていたものと認められる。
　他方、ローズ・オニールは、キューピーのキャラクターの創作者であるが、本件商標の出願時及び登録査定時、我が国においてこのことが周知であったと認めるに足りる証拠はない。
２　商標法第４条第１項第１１号該当性
（１）本件商標について
ア　本件商標は、前記第１に記載のとおり、「ＲＯＳＥＯ’ＮＥＩＬＬＫＥＷＰＩＥ」の欧文字と「ローズオニールキューピー」の片仮名を上下二段に表してなるところ、これら欧文字及び片仮名は、それぞれ同じ書体、同じ大きさ、等間隔で表され、その片仮名部分の左右端は、いずれも欧文字部分の左右端よりもわずかに外側に広がっているが、その広がり具合は、左右均等であって、構成全体としてみた場合、欧文字及び片仮名の全体がまとまりよく一体的に表されているといえるものである。
イ　そして、下段の片仮名が上段の欧文字の読みを表記したものとして看取されるから、本件商標からは、「ローズオニールキューピー」の称呼が生じるものと認められる。
ウ　本件商標の構成中の「ＫＥＷＰＩＥ」「キューピー」の文字部分は、我が国でも周知であるキューピーのキャラクターの観念を想起させるものである。同じく、「Ｏ’ＮＥＩＬＬ」「オニール」の文字部分は、英語圏にみられる名字であることが我が国でも周知であり（甲５７ないし６２）、これに伴う「ＲＯＳＥ」「ローズ」の文字部分も、やはり英語圏にみられる女性の名前であることが我が国でも周知である（甲５７ないし５９）。そうとすると、「ＲＯＳＥＯ’ＮＥＩＬＬ」「ローズオニール」の文字部分は、「ローズ・オニール」という英語圏の女性の名前であると観念される（なお、前記１（２）で認定のとおり、我が国においてローズ・オニールがキューピーのキャラクターの創作者であることが周知であると認めるに足りる証拠はない。）。
　そして、本件商標の構成中の「ＲＯＳＥＯ’ＮＥＩＬＬ」「ローズオニール」の文字部分は、「ＫＥＷＰＩＥ」「キューピー」の文字部分の前に配されているから、本件商標からは、「ローズ・オニール（という女性）のキューピー」という観念が生じるものと認められる。
エ　ところで、請求人は、前記１（１）イ及びウで認定のとおり、キューピーの特徴を備えたキャラクター又は「キューピー」との称呼を生じる商標（引用商標）について複数登録を受け、引用商標３が著名なものとして文献にも紹介されているほか、マヨネーズを中心とする調味料や加工食品の分野において我が国において高い市場占有率を誇っており、食品関係会社として我が国の一般消費者に広く認識されているばかりか、約５０年間にわたって、引用商標２のロゴ及び前記キューピーの特徴を備えたキャラクターの人形（引用商標１）の映像等とともに日曜日を除く毎日放映されてきた「キユーピー３分クッキング」というテレビ番組の提供を続けるなどしている。
オ　以上によれば、請求人（キユーピー株式会社）は、本件商標の出願時及び登録査定時において、我が国の食品関係の取引者及び一般消費者の間で、マヨネーズを中心とする調味料や加工食品を製造・販売するほか、飲食物の料理方法を教授する会社として著名であり、引用商標１ないし３は、当該分野における役務の提供について、請求人を出所として識別させる商標として著名であったものと認められる。
　さらに、我が国においては、前記１（１）ウで認定のとおり、食品製造会社がそのブランド名と同一又は類似する店舗名の飲食店を経営している例が多数見られることを併せ考えると、引用商標１ないし３は、加工食品の製造・販売及び飲食物の料理方法の教授という役務と密接に関連する「飲食物の提供」という役務においても、取引者、需要者である食品関係の取引者及び一般消費者に対し役務の出所識別標識として強く支配的な印象を与えるものと認められる。このことは、前記１（１）オで認定のとおり、本件商標が飲食店の名前として使われた場合に多くの者が請求人又は請求人の主要商品を製造する会社を想起したとのアンケート調査の結果によっても裏付けられる。
　そして、本件商標の指定役務は、前記第１に記載のとおり、第４３類「宿泊施設の提供、宿泊施設の提供の契約の媒介又は取次ぎ、飲食物の提供、動物の宿泊施設の提供、保育所における乳幼児の保育、老人の養護、会議室の貸与、展示施設の貸与、家具の貸与、壁掛けの貸与、敷物の貸与、タオルの貸与」であるところ、本件商標がこれらのうち「飲食物の提供」に使用される場合、「ＫＥＷＰＩＥ」「キューピー」の文字部分は、上記のとおり、取引者、需要者に対し役務の出所識別標識として強く支配的な印象を与える引用商標１ないし３と称呼及び観念が同一のものであるから、当該部分だけを他人の商標と比較して商標そのものの類否を判断することも許されるものというべきである。
カ　他方、キューピーのキャラクターは、前記１（２）で認定のとおり、その創作後から高い人気を博しており、請求人及び被請求人を含む複数の企業が広告や商品販売等に使用し続けるなどしてきたものであるところ、引用商標１ないし７は、本件商標の指定役務中、「飲食物の提供」を除く各役務については、取引者、需要者に対し役務の出所識別標識として強く支配的な印象を与えるものであるという事情を認めるに足りる証拠はない。
　また、本件商標の構成中の「ＲＯＳＥＯ’ＮＥＩＬＬ」「ローズオニール」の文字部分は、その構成の半分以上を占めるものであって、「ＫＥＷＰＩＥ」「キューピー」の文字部分に密接に関連する一般的ないし普遍的な文字であると直ちにいうこともできないから、出所識別標識としての称呼、観念が生じないとまでは認められない。
キ　よって、本件商標は、その構成全体から「ローズオニールキューピー」の称呼及び「ローズ・オニール（という女性）のキューピー」の観念を生じるほか、これをその指定役務中の「飲食物の提供」に使用される場合には、本件商標の構成中の「ＫＥＷＰＩＥ」「キューピー」の文字部分から、「キューピー」の称呼及び「キューピーのキャラクター」の観念をも生じるものというべきである。
（２）引用商標１ないし７について
ア　引用商標１は、頭髪と思しきものが主として頭頂部のみにあり、しかもその部分が尖っており、目がパッチリと大きく、背中には天使の翼と思しき一対の小さな羽が生えたふくよかな裸体の姿をしている幼児の人形（立体商標）である。
　引用商標２は、「キユーピー」との片仮名を肉厚の書体で横書きに表してなるものである。
　引用商標３は、頭髪と思しきものが主として頭頂部のみにあり、しかもその部分が尖っており、目がパッチリと大きく、背中には天使の翼と思しき一対の小さな羽が生えたふくよかな裸体の姿をしている幼児の図形である。
　引用商標４は、引用商標３の図形の上部に引用商標２の片仮名を、当該図形の下部に「ＫＥＷＰＩＥ」の欧文字を配した構成からなるものである。
　引用商標５は、頭髪と思しきものが主として頭頂部のみにあり、しかもその部分が尖っており、目がパッチリと大きく、背中には天使の翼と思しき一対の小さな羽が生えたふくよかな幼児が「キユーピー」「とっておきレシピ」と二段書きされた横長で帯状の掲示物を右手で上から握持し、顔及び斜め上方にのばした左腕が当該掲示物の上部に配された構成からなるものである。
　引用商標６及び７は、頭髪と思しきものが主として頭頂部のみにあり、しかもその部分が尖っており、目がパッチリと大きく、背中には天使の翼と思しき一対の小さな羽が生えたふくよかな裸体の姿をしている幼児２名が並んで正面を向き、各外側の手で両者の間の胸付近に配されたハート模様の図形を握持し、各幼児両眼の黒眼部分が当該ハート様図形の向きに配されている全体として左右対称のものであって、幼児の姿を描く線及び当該ハート様図形がいずれも赤色で彩色されたものである。
イ 引用商標２及び４の片仮名及び欧文字からは、いずれも「キューピー」の称呼が生ずるほか、引用商標１及び３ないし７の人形又は幼児の図形の外観も、前記のとおり我が国において周知となっていたキューピーのキャラクターが備える特徴と一致している。
　したがって、引用商標１ないし７に接した取引者、需要者において、これらの商標からは「キューピー」との称呼が生じるとともに、当該特徴を備えた我が国でも周知のキューピーのキャラクターとの観念が生じるほか、引用商標５からは、「キューピートッテオキレシピ」の称呼が生じるものと認められる。
（３）本件商標と引用商標１ないし７との類否について
ア 本件商標は、前記（１）キのとおり、その指定役務中の「飲食物の提供」に使用するときは、本件商標の構成中の「ＫＥＷＰＩＥ」「キューピー」の文字部分だけを他の商標と比較することで類否を判断することができるものというべきである。
　そして、該「ＫＥＷＰＩＥ」「キューピー」の文字部分からは、「キューピー」の称呼が生じ、かつ、我が国でも周知のキューピーのキャラクターとの観念が生じるところ、これと称呼及び観念を共通にする引用商標１ないし４及び７には、いずれも指定役務に「飲食物の提供」が含まれている。
　よって、本件商標は、その指定役務中、「飲食物の提供」に使用するときは、引用商標１ないし４及び７と類似する商標である。
イ 他方、本件商標をその指定役務中の「飲食物の提供」以外の指定役務に使用するときは、本件商標は、その全体を観察した場合、引用商標１ないし７といずれも外観が異なるほか、「ローズオニールキューピー」の称呼が生じ、かつ、「ローズ・オニール（という女性）のキューピー」という観念が生じるものである。
　したがって、本件商標は、「キューピー」又は「キューピートッテオキレシピ」との称呼が生じ、かつ、我が国でも周知のキューピーのキャラクターとの観念が生じる引用商標１ないし７とは、外観、称呼及び観念のいずれの点についても、互いに紛れるおそれのないものである。
　また、本件全証拠によっても、本件商標の指定役務中、「飲食物の提供」以外の役務に係る取引に当たり、取引者、需要者が、「ＲＯＳＥＯ’ＮＥＩＬＬ」「ローズオニール」との部分が付加された本件商標と、「キューピー」との称呼及び観念が生じる引用商標とで出所について混同を生じる実情があるとは認められない。
　よって、本件商標は、その指定役務中、「飲食物の提供」以外の役務に使用する場合、引用商標１ないし７とは非類似の商標であるといえる。
（４）以上によれば、本件商標は、これをその指定役務中、「飲食物の提供」に使用するときは、商標法第４条第１項第１１号に該当する。  
３　むすび  
　以上のとおり、本件商標は、その指定役務中の「飲食物の提供」について、商標法第４条第１項第１１号に違反して登録されたものであるから、その余について判断するまでもなく、同法第４６条第１項の規定により、無効とする。
　よって、結論のとおり審決する。